(57)【特許請求の範囲】
【請求項１】
魚釣りに用いるルアーであって、
魚の頭部に似せて形成された硬質合成樹脂製のルアー頭部と、
前記ルアー頭部の後方側端面下方に前記ルアー頭部に連結して設けられ、後方に突出しつつ後方端部に釣針係止部を有する突出部と、
前記ルアー頭部後方に前記突出部を内包しつつ連結された魚の体部に似せて形成された軟質合成樹脂製のルアー体部と、
を備え、
前記突出部は前記ルアー頭部と一体的に形成された硬質合成樹脂製部材であり、前記突出部の後方端部には前記ルアー体部下面から外部に突出する釣針係止部が連結されており、
前記突出部に固定された錘を備える、
ルアー。
【発明の詳細な説明】
【０００１】
【発明の属する技術分野】
本発明は魚釣りに用いるルアーに関する。
【０００２】
【従来の技術】
従来のルアーには、魚の頭部に似せて、木材，ポリウレタンやABS樹脂，スチロール樹脂等で形成されたルアー頭部と、魚の体部乃至尾部に似せてシリコンゴムや塩化ビニル等の軟質合成樹脂で形成されたルアー体部とを有するものがある。この種のルアーでは、ルアー頭部とルアー体部とが接着剤等で接着固定されている。
【０００３】
この種のルアーは、硬質の頭部に釣糸や釣針を連結して水中に投じられると、軟質のルアー体部が水中で揺らめきながら生き餌のように水中を泳動して魚をおびき寄せる。
【０００４】
【発明が解決しようとする課題】
従来のこの種のルアーでは、釣針にかかる負荷の大きさを考慮して硬質のルアー頭部に釣針係止部が設けられている。釣針係止部はある程度ルアー全体の頭部側端部より尾部側に距離を設けて配置する必要があるところ、ルアー頭部に釣針係止部を形成するためには、ルアー頭部をある程度尾部側まで長く伸ばして製造する必要がある。
【０００５】
しかし、このようにルアー頭部の長さ（頭部乃至尾部方向への長さ）を長くすれば、軟質のルアー体部の長さが相対的に短くなることになり、水中でのしなやかな動きが不十分になる。
【０００６】
本発明の課題は、水中でのしなやかな動きを十分に演出可能なルアーを提供することにある。
【０００７】
【課題を解決するための手段】
発明１にかかるルアーは、魚釣りに用いるルアーであって、硬質合成樹脂製の魚の頭部に似せて形成されたルアー頭部と、ルアー頭部の後方側端面下方にルアー頭部に連結して設けられ、後方に突出しつつ後方端部に釣針係止部を有する突出部と、ルアー頭部後方に突出部を内包しつつ連結された軟質合成樹脂製の魚の体部に似せて形成されたルアー体部とを備えている。突出部はルアー頭部と一体的に形成された硬質合成樹脂製部材であり、突出部の後方端部にはルアー体部下面から外部に突出する釣針係止部が連結されている。また、ルアーは、突出部に固定された錘を備えている。
【０００８】
このルアーでは、硬質合成樹脂からなるルアー頭部の後方に突出部が設けられ、この突出部に釣針係止部が設けられている。そして、この突出部を内包するように軟質合成樹脂からなるルアー体部が連結されている。このため、ルアー頭部自体は比較的短い長さになり、軟質のルアー体部を相対的に長く設けることが可能となる。この結果、水中でのしなやかな動きを十分に演出可能となる。また、釣針係止部は突出部を介して硬質のルアー頭部に連結されることとなり、釣針係止部に釣針を連結してこの釣針から大きな負荷がかかっても、十分な耐久性を維持できる。
【０００９】
また、突出部はルアー頭部の後方側端面下方に設けられているので、突出部によって軟質のルアー体部の下方側一部（腹側）のしなやかな動きが規制されたとしても、ルアー体部の上方側（背側）のしなやかな動きは十分に維持可能である。
【００１０】
また、突出部がルアー頭部と一体的に硬質合成樹脂によって形成されているので、ルアーの耐久性が十分に維持できると共に、ルアー頭部とルアー体部との連結力も向上する。
【００１１】
さらに、突出部に錘を配置することでルアー全体の重心位置を下部側（腹側）に位置させて、ルアーの水中での泳動姿勢を安定させることができる。
【００１２】
【発明の実施の形態】
［第１参考例］
以下、本発明の第１参考例について図面を参照しつつ説明する。
【００１３】
本発明の第１参考例を採用したルアーは、図１に示すように、魚の頭部に似せて形成されたルアー頭部１と、ルアー頭部１の先端付近に設けられ釣糸を係止可能な釣糸係止部２と、ルアー頭部１の先端下方に斜めに突出して設けられたリップ３と、ルアー頭部１の後方に連結され魚の体部及び尾部に似せて形成されたルアー体部４とを有している。また、ルアー頭部１の後方には金属製ワイヤ５が連結されており、ここにはスプリットリング６を介して釣針７が連結されている。
【００１４】
ルアー頭部１は、ポリウレタンやABS樹脂等の硬質合成樹脂からなる部材であり、表面には魚の頭部に似せて魚の目や鱗・鰓等の模様が描かれている。このルアー頭部１は所定の形状に形成された左右一対の半割部材を開口側の貼り合わせ面で貼り合わせて一体化して製造される。一対の半割部材の開口面の先端部分及び後方の所定位置にはそれぞれ釣糸係止部２及び金属製ワイヤ５を固定可能な溝乃至突起が形成され、ここに釣糸係止部２，金属製ワイヤ５がそれぞれ配置され一致の半割部材に挟み込まれつつ固定される。さらに、ルアー頭部１の後方には頭端がフランジ状に拡径した係止部１ａが設けられており、この係止部１ａ及び金属製ワイヤ５の一部を介して後述のルアー体部４が連結されることになる（図２参照）。また、リップ３は水中で流水を受け止めるための突出した舌状部材であり、ルアー頭部１の半割部材と一体的に形成される。なお、この実施形態ではルアー頭部１は半割部材によって構成しているが、所定の型内においておこなうインジェクション成型によりルアー頭部を形成してもよい。
【００１５】
ルアー体部４は、シリコンゴム等の合成ゴムや塩化ビニル樹脂，ポリオレフィン等の軟質合成樹脂から構成される部材である。ルアー頭部１の後方に係止部１a及び金属製ワイヤ５の一部を内包しつつ連結される。例えば、所定の型内にルアー頭部１を配置して流動化させた合成樹脂を流し込んで固化させることで成型可能である。このルアー体部４の表面は魚をイメージして鱗模様等を描いてもよく、また、魚の興味をさらに引き立てるために光を反射するラメを合成樹脂内に混入してもよい。
【００１６】
金属製ワイヤ５は金属素線を寄り合わせて構成されたり、形状記憶合金の単線等からなるものであり、両端部をルアー頭部１に連結しつつ中央付近で折り返されている。そして、金属製ワイヤ５は、両端部のルアー頭部１への連結部分からルアーの後方に伸びさらにルアー下方へ屈曲して、折り返し部分をルアー体部４の下方に突出させ他の部分をルアー体部４内に埋もれた状態として存在する。そして、このルアー体部４から突出している折り返し部分がそのまま釣針を係止するための釣針係止部となり、スプリットリング６を介して釣針７が連結されることになる。
【００１７】
このように構成されたルアーでは、硬質合成樹脂からなるルアー頭部１の後方に金属製ワイヤ５が設けられ、この金属製ワイヤ５に釣針７が連結される。そして、この金属製ワイヤ５を内包するように軟質合成樹脂からなるルアー体部４が連結されている。このため、ルアー頭部１自体を比較的短い長さとすることができ、軟質のルアー体部４を相対的に長く設けることが可能となる。この結果、水中でのしなやかな動きを十分に演出可能となる。また、釣針７は金属製ワイヤ５を介して硬質のルアー頭部１に直接連結されることとなり、この釣針７から大きな負荷がかかっても、十分な耐久性を維持できる。さらに、金属製ワイヤ５は軟質のルアー体部２に多くの部分が内包されており、ルアー頭部１とルアー体部４との連結性を向上させることにも資する。
【００１８】
［第２参考例］
以下、本発明の第２参考例について図面を参照しつつ説明する。
【００１９】
本発明の第２参考例を採用したルアーは、図３に示すように、魚の頭部に似せて形成されたルアー頭部１と、ルアー頭部１の先端付近に設けられ釣糸を係止可能な釣糸係止部２と、ルアー頭部１の先端下方に斜めに突出して設けられたリップ３と、ルアー頭部１の後方に連結され魚の体部及び尾部に似せて形成されたルアー体部４とを有している。また、ルアー頭部１の後方には金属製ワイヤ５が連結されており、ここにはスプリットリング６を介して釣針７が連結されている。さらに、ルアー頭部１の後方には第２金属製ワイヤ８が連結されており、ここにはスプリットリング９を介して釣針１０も連結されている。
【００２０】
ルアー頭部１は、第１参考例と同様に、ポリウレタンやABS樹脂等の硬質合成樹脂からなる部材であり、表面には魚の頭部に似せて魚の目や鱗・鰓等の模様が描かれている。また、ルアー体部４も、第１参考例と同様に、シリコンゴム等の合成ゴムや塩化ビニル樹脂等の軟質合成樹脂から構成される部材である。ルアー頭部１の後方に及び金属製ワイヤ５及び第２金属製ワイヤ８の一部を内包しつつ連結される。
【００２１】
金属製ワイヤ５及び第２金属製ワイヤ８は金属素線を寄り合わせて構成されたものであり、両端部をルアー頭部１に連結しつつ中央付近で折り返されている。そして、金属製ワイヤ５は、両端部のルアー頭部１への連結部分からルアーの後方に伸びさらにルアー下方へ屈曲して、折り返し部分をルアー体部４の下方に突出させ他の部分をルアー体部４内に埋もれた状態として存在する。この金属製ワイヤ５はルアーの腹部付近から外部に折り返し部分を突出させているのに対し、第２金属製ワイヤ８は両端部のルアー頭部１から後方に長く伸び折り返し部分はルアーの尾部付近においてルアー体部４から突出する。
【００２２】
なお、その他の構成は第１参考例と同様であり説明を省略する。
【００２３】
このように構成されたルアーは、第１参考例と同様の作用効果を奏する。
【００２４】
［実施形態］
以下、本発明の実施形態について図面を参照しつつ説明する。
【００２５】
本発明の実施形態を採用したルアーは、図４に示すように、魚の頭部に似せて形成されたルアー頭部１１と、ルアー頭部１１の先端付近に設けられ釣糸を係止可能な釣糸係止部１２と、ルアー頭部１１の先端下方に斜めに突出して設けられたリップ１３と、ルアー頭部１１の後方に連結され魚の体部及び尾部に似せて形成されたルアー体部１４とを有している。
【００２６】
ルアー頭部１１は、ポリウレタンやABS樹脂等の硬質合成樹脂からなる部材であり、表面には魚の頭部に似せて魚の目や鱗・鰓等の模様が描かれている。第１参考例と同様に一対の半割部材を張り合わせて構成されている。また、このルアー頭部１１の後端側下方側には後方に突出する薄板状の突出部１５が一体的に形成されている。この突出部１５の後方端部には下方に張出したリング状の釣針係止部１６が連結されている。そして、この釣針係止部１６にはスプリットリング１７を介して釣針１８連結されることになる。さらに、この突出部１５には鉛やタングステン等の高比重材からなる錘１９がはめ込まれて固定されている。また突出部１６自体を金属板で形成することもできる。
【００２７】
ルアー体部１４は、第１参考例と同様に、シリコンゴム等の合成ゴムや塩化ビニル樹脂等の軟質合成樹脂から構成される部材である。ルアー頭部１の後方に突出部１５を内包しつつ連結される。第１参考例と同様に、所定の型内にルアー頭部１１を配置して流動化させた合成樹脂を流し込んで固化させることで成型してもよい。この場合、突出部１５の表面に凹凸を設けてルアー体部１４との密着固定性を向上させてもよい。
【００２８】
このように構成されたルアーも第１参考例と同様の作用効果を奏する。特に、突出部１５がルアー頭部１と一体的に硬質合成樹脂によって形成されているので、ルアーの耐久性が十分に維持できると共に、ルアー頭部１１とルアー体部１４との連結力も向上する。また、突出部１５に錘１９を配置することでルアー全体の重心位置を下部側（腹側）に位置させて、ルアーの水中での泳動姿勢も安定する。
【００２９】
［他の実施形態］
（ａ）図５に示すように、硬質の合成樹脂からなるルアー頭部２１と、ルアー頭部２１の後方に連結された軟質の合成樹脂からなるルアー体部２４とからなるルアーを以下の構成にすることで、ルアー頭部２１に連結された釣針係止部２５にスプリットリング２６を介して連結された釣針２７が、ルアー体部２４に突き刺さってしまうことを回避できる。
【００３０】
即ち、釣針が硬質のルアー頭部２１に連結されているルアーでは、釣針２７が大きく振れると軟質合成樹脂からなるルアー体部２４に突き刺さってしまう恐れがある。そこで、ルアー頭部２１の形状を上方側（背側）は長さ方向（頭部乃至尾部方向）に短く構成し、一方の下方側（腹側）は長さ方向に長く構成し、釣針係止部２５をルアー頭部２１の下方側の長さ方向中央付近に配置することで、釣針係止部２５にスプリットリング２６を介して連結された釣針２７が、ルアー体部２４に突き刺さってしまうことを回避できる。このようにルアー頭部２１を構成することで、水中で柔軟な動きを為す軟質のルアー体部２４の長さ方向における長さを十分に担保して水中でのルアーの滑らかな動きを担保できる。
【００３１】
【発明の効果】
本発明にかかるルアーによれば、水中でのしなやかな動きを十分に演出可能となる。
【図面の簡単な説明】
【図１】  本発明の第１参考例を採用したルアーの全体図。
【図２】  図１の上面図。
【図３】  本発明の第２参考例を採用したルアーの全体図。
【図４】  本発明の実施形態を採用したルアーの全体図。
【図５】  本発明の他の実施形態を採用したルアーの全体図。
【符号の説明】
１，１１，２１  ルアー頭部
３，１３，２３  リップ
４，１４，２４  ルアー体部
６，８  金属ワイヤ
１５  突出部
【図１】
0004520599.tif 000002
【図２】
0004520599.tif 000003
【図３】
0004520599.tif 000004
【図４】
0004520599.tif 000005
【図５】
0004520599.tif 000006